(57)【要約】      （修正有）【課題】包装袋を切断して開封する際に、収容された物品が損傷するのを抑制することができる包装袋を提供することを課題とする。【解決手段】シート材が四面体状に形成されてなり、二つのシート材第一領域がシート材の一方の面側を対峙させた状態で分離可能に連結されてなる第一連結部１ｄと、シート材第二領域が第一連結部の一端部と対向する位置でシート材の一方の面を内側にして二つに折り返された状態でシート材第二領域の重なり合う部分同士が分離可能に連結されてなる第二連結部１ｅとを備えており、第二連結部は、一端部に第一連結部の一端部を備え、第一連結部の一端部には、二つのシート材第一領域の一端部の少なくとも一部同士が連結されないことで形成された摘み部１ｉを備える。【選択図】図２
2020050377.tif 000002
【特許請求の範囲】
【請求項１】
シート材が四面体状に形成されてなり、
物品を収容する四面体状の収容部であって一方向に延びる第一辺部と該第一辺部に対向する位置で第一辺部に対して捻じれた方向に延びる第二辺部とを有する収容部を備えており、
該シート材は、対向する位置に形成されて対向方向に対して交差する方向に延びる二つのシート材第一領域と、該二つのシート材第一領域の各一端部を両端部に備えると共に前記対向方向に延びるシート材第二領域と、二つのシート材第一領域の各他端部を両端部に備えると共に前記対向方向に延びるシート材第三領域とを備えており、
二つのシート材第一領域がシート材の一方の面側を対峙させた状態で分離可能に連結されてなる第一連結部と、シート材第二領域が第一連結部の一端部と対向する位置でシート材の一方の面を内側にして二つに折り返された状態でシート材第二領域の重なり合う部分同士が分離可能に連結されてなる第二連結部と、第一連結部の他端部から離間した二か所でシート材の一方の面を内側にしてシート材第三領域が折り返された状態でシート材第三領域の重なり合う部分同士が連結されてなる第三連結部とを備えており、
第二連結部は、収容部の第一辺部に沿って形成されると共に、一端部に第一連結部の一端部を備え、他端部にシート材第二領域が折り返されて形成された折返端部を備えており、
第三連結部は、収容部の第二辺部に沿って形成されると共に、両端部にシート材第三領域が折り返されて形成された折返端部を備えており、
第一連結部の一端部には、二つのシート材第一領域の一端部の少なくとも一部同士が連結されないことで形成された摘み部を備える包装袋。
【請求項２】
前記摘み部は、外縁形状が円弧状、又は、台形状に形成される請求項１に記載の包装袋。
【発明の詳細な説明】
【技術分野】
【０００１】
本発明は、物品を収容する包装袋に関する。
【背景技術】
【０００２】
従来から、物品を収容する包装袋として、プラスチックフィルム等のシート材が袋状に形成されてなるものが知られている。例えば、シート材の一方向に延びる一対の側端部が重ね合わされてシート材が筒状に形成された状態で該一対の側端部がシールされて形成された背貼り部と、シート材における筒状に形成された領域の両端部が閉塞されて形成された一対の閉塞端部とを備え、一対の閉塞端部間に物品が収容される収容部が形成された包装袋が知られている。そして、このような包装袋には、対向するように配置される一対の対向壁部が形成されており、一方の対向壁部が背貼り部を備えるように構成される。
【０００３】
このような包装袋を開封する方法としては、一般的に、包装袋の収容部を切断する方法が採用されている。具体的には、一方の閉塞端部に形成されたＶ字状のノッチを境として一方の閉塞端部の両側を指で摘む。そして、指で摘まんだ閉塞端部の一方の側と他方の側とを離間させるように引っ張ることで、ノッチを切っ掛けに閉塞端部が切断されると共に、収容部が切断されることになる。これにより、包装袋が開封されて収容された物品を取り出すことが可能となる。
【０００４】
又は、収容部を切断する他の方法としては、収容部の端部に形成された切断可能端部を境として、収容部の端部の両側を指で摘む。そして、指で摘まんだ切断可能端部の一方の側と他方の側とを離間させるように引っ張ることで、切断可能端部から収容部が切断されることになる。これにより、包装袋が開封されて収容された物品を取り出すことが可能となる（特許文献１参照）。
【先行技術文献】
【特許文献】
【０００５】
【特許文献１】特開２００４−２５６１５８号公報
【発明の概要】
【発明が解決しようとする課題】
【０００６】
しかしながら、上記のような包装袋では、収容部を切断する際に、切断に伴って形成される端部が収容部に収容した物品と接触する虞がある。このため、包装袋の開封に伴って物品が損傷する虞がある。
【０００７】
そこで、本発明は、開封に伴って収容部内の物品が損傷するのを抑制することができる包装袋を提供することを課題とする。
【課題を解決するための手段】
【０００８】
本発明に係る包装袋は、シート材が四面体状に形成されてなり、物品を収容する四面体状の収容部であって一方向に延びる第一辺部と該第一辺部に対向する位置で第一辺部に対して捻じれた方向に延びる第二辺部とを有する収容部を備えており、該シート材は、対向する位置に形成されて対向方向に対して交差する方向に延びる二つのシート材第一領域と、該二つのシート材第一領域の各一端部を両端部に備えると共に前記対向方向に延びるシート材第二領域と、二つのシート材第一領域の各他端部を両端部に備えると共に前記対向方向に延びるシート材第三領域とを備えており、二つのシート材第一領域がシート材の一方の面側を対峙させた状態で分離可能に連結されてなる第一連結部と、シート材第二領域が第一連結部の一端部と対向する位置でシート材の一方の面を内側にして二つに折り返された状態でシート材第二領域の重なり合う部分同士が分離可能に連結されてなる第二連結部と、第一連結部の他端部から離間した二か所でシート材の一方の面を内側にしてシート材第三領域が折り返された状態でシート材第三領域の重なり合う部分同士が連結されてなる第三連結部とを備えており、第二連結部は、収容部の第一辺部に沿って形成されると共に、一端部に第一連結部の一端部を備え、他端部にシート材第二領域が折り返されて形成された折返端部を備えており、第三連結部は、収容部の第二辺部に沿って形成されると共に、両端部にシート材第三領域が折り返されて形成された折返端部を備えており、第一連結部の一端部には、二つのシート材第一領域の一端部の少なくとも一部同士が連結されないことで形成された摘み部を備える。
【０００９】
斯かる構成によれば、シート材の重なり合う部分同士が分離可能に連結された第一連結部及び第二連結部を備える。また、第二連結部は、一端部に第一連結部の一端部を備えており、第一連結部の一端部には、二つのシート材第一領域の一端部の少なくとも一部同士が連結されないことで形成された摘み部を備える。
【００１０】
これにより、シート材における摘み部（即ち、第一連結部の一端部及び第二連結部の一端部）を構成する重なり合う端部のそれぞれを指などで摘まむことができる。そして、摘まんだ各端部を離間させるように引っ張ることで、第一連結部を構成する二つのシート材第一領域が分離すると共に、第二連結部を構成するシート材第二領域の重なり合う部分同士が分離する。これにより、収容部が開放された状態になるため、収容部内から物品を取り出すことができる。つまり、収容部を切断することなく包装袋を開封することができるため、収容部の切断に伴って物品が損傷するのを防止することができる。
【００１１】
前記摘み部は、外縁形状が円弧状、又は、台形状に形成されることが好ましい。
【００１２】
斯かる構成によれば、摘み部は、外縁形状が円弧状、又は、台形状に形成される。このため、摘み部が他の物体と接触した際に、摘み部が折れ曲がってしまうのを抑制することができる。
【発明の効果】
【００１３】
以上のように、本発明によれば、包装袋を切断して開封する際に、収容された物品が損傷するのを抑制することができる。
【図面の簡単な説明】
【００１４】
【図１】本発明の一実施形態に係る包装袋を構成するシート材の斜視図。
【図２】同実施形態に係る包装袋の斜視図。
【図３】図２のＩ−Ｉ断面図。
【図４】同実施形態に係る包装袋の第二連結部を示した斜視図。
【図５】同実施形態に係る包装袋の第三連結部を示した斜視図。
【図６】同実施形態に係る包装袋を開封した状態を示した斜視図。
【発明を実施するための形態】
【００１５】
以下に、本発明に係る包装袋の一実施形態について、図１〜６を参照しつつ説明する。なお、以下の図面において同一又は相当する部分には同一の参照符号を付しその説明は繰り返さない。
【００１６】
本発明に係る包装袋は、シート材を用いて形成されるものである。よって、まず初めに、シート材の一実施形態について説明する。本実施形態に係るシート材Ｘは、図１に示すように、四角形状に形成される。また、シート材Ｘとしては、例えば、一枚のシートから構成されたものであってもよく、複数のシート（例えば、複数のシートの端部同士）が連結されることで形成されるものであってもよく、複数のシートが積層された積層シートから構成されたものであってもよく、シート以外の他の部材（例えば、フィルム片等）を備えるように構成されてもよい。
【００１７】
シート材Ｘを構成するシートとしては、特に限定されるものではなく、例えば、紙製や樹脂製のシートが挙げられる。樹脂製のシートとしては、例えば、引き裂き方向性を有するフィルム（例えば、一軸延伸フィルムや二軸延伸フィルム等）を用いることが好ましい。また、シート材Ｘは、該一方の面における２つの領域を対峙させた状態で該領域を連結可能に構成されることが好ましい。斯かるシート材Ｘとしては、例えば、所謂イージーピールフィルムによって一方の面が形成されたものであってもよく、シート材Ｘの一方の面における連結する部分にパートコートが施されたものであってもよい。より詳しくは、シート材Ｘは、ＯＰＰフィルムとイージーピールフィルムとこれらの間に配置されるバリア層（ＭＸＤ，ＥＶＯＨ，又は、ＶＭ等の層）とを備えることが好ましい。
【００１８】
シート材Ｘは、対向する位置に形成されて対向方向に対して交差する方向に延びる二つのシート材第一領域Ｘ１，Ｘ１と、前記対向方向に延びるシート材第二領域Ｘ２と、該シート材第二領域Ｘ２に対向する位置に形成されて前記対向方向に延びるシート材第三領域Ｘ３とを備える。
【００１９】
各シート材第一領域Ｘ１は、前記対向方向におけるシート材Ｘの両端部に形成される。また、各シート材第一領域Ｘ１は、前記対向方向に対して交差する方向におけるシート材Ｘの一端部から他端部に亘って形成される。また、一方のシート材第一領域Ｘ１は、一端部にシート材第二領域Ｘ２の一端部を備え、他端部にシート材第三領域Ｘ３の一端部を備える。また、他方のシート材第一領域Ｘ１は、一端部にシート材第二領域Ｘ２の他端部を備え、他端部にシート材第三領域Ｘ３の他端部を備える。また、本実施形態では、各シート材第一領域Ｘ１は、帯状の領域として構成される。
【００２０】
シート材第二領域Ｘ２は、前記対向方向におけるシート材Ｘの一端部から他端部に亘って形成される。また、シート材第二領域Ｘ２は、前記対向方向に対して交差する方向におけるシート材Ｘの一端部に形成される。また、シート材第二領域Ｘ２は、二つのシート材第一領域Ｘ１，Ｘ１の各一端部を両端部に備える。また、本実施形態では、シート材第二領域Ｘ２は、帯状の領域として構成される。
【００２１】
シート材第三領域Ｘ３は、前記対向方向におけるシート材Ｘの一端部から他端部に亘って形成される。また、シート材第三領域Ｘ３は、前記対向方向に対して交差する方向におけるシート材Ｘの他端部に形成される。また、シート材第三領域Ｘ３は、二つのシート材第一領域Ｘ１，Ｘ１の各他端部を両端部に備える。また、本実施形態では、シート材第三領域Ｘ３は、帯状の領域として構成される。
【００２２】
次に、本発明に係る包装袋の一実施形態について説明する。本実施形態に係る包装袋１は、図２に示すように、上記のように構成されるシート材Ｘを用いて形成される。具体的には、包装袋１は、シート材Ｘが四面体状に形成されてなるものである。また、包装袋１は、物品を収容する四面体状の収容部１ａを備える。該収容部１ａは、一方向に延びる第一辺部１ｂと該第一辺部１ｂに対向する位置で第一辺部１ｂに対して捻じれた方向（具体的には、略９０°捻じれた方向）に延びる第二辺部１ｃとを備える。
【００２３】
また、包装袋１は、シート材Ｘの一方の面における対峙する領域同士が連結されて形成された第一連結部１ｄ、第二連結部１ｅ、及び、第三連結部１ｆを更に備える。第二連結部１ｅは、収容部１ａの第一辺部１ｂに沿って形成される。第三連結部１ｆは、収容部１ａの第二辺部１ｃに沿って形成される。そして、第一連結部１ｄは、第二連結部１ｅと第三連結部１ｆとの間に亘って形成される。そして、包装袋１は、第一連結部１ｄ、第二連結部１ｅ、及び、第三連結部１ｆが形成されることで、収容部１ａが閉塞された状態となる。
【００２４】
第一連結部１ｄは、図３に示すように、二つのシート材第一領域Ｘ１，Ｘ１がシート材Ｘの一方の面側を対峙させた状態で一端部から他端部に亘って（具体的には、後述する摘み部１ｉを構成する部分以外の領域が）分離可能に連結されてなるものである。第一連結部１ｄにおける二つのシート材第一領域Ｘ１，Ｘ１の対峙面同士は、全域に亘って連結されてもよく、部分的に連結されてもよい。二つのシート材第一領域Ｘ１，Ｘ１を連結する方法としては、特に限定されるものではなく、例えば、二つのシート材第一領域Ｘ１，Ｘ１の対峙する面にシール強度が比較的弱くなるようにパートコート剤が塗布された状態で、二つのシート材第一領域Ｘ１，Ｘ１がヒートシールされてもよく、ヒートシールの温度を調節してシール強度が比較的弱くなるようにヒートシールされてもよい。
【００２５】
第二連結部１ｅは、図４に示すように、シート材第二領域Ｘ２が第一連結部１ｄの一端部と対向する位置でシート材Ｘの一方の面を内側にして二つに折り返された状態でシート材第二領域Ｘ２の対峙面同士（具体的には、後述する摘み部１ｉを構成する部分以外の領域）が分離可能に連結されてなるものである。第二連結部１ｅにおけるシート材第二領域Ｘ２の対峙面同士は、全域に亘って連結されてもよく、部分的に連結されてもよい。また、第二連結部１ｅは、一端部に第一連結部１ｄの一端部を備え、他端部にシート材第二領域Ｘ２が折り返されて形成された折返端部１ｇを備える。また、第二連結部１ｅの一端部では、シート材第二領域Ｘ２の両端部（換言すれば、二つのシート材第一領域Ｘ１，Ｘ１の各一端部）が重なり合うように構成される。シート材第二領域Ｘ２の対峙面同士を連結する方法としては、特に限定されるものではなく、例えば、シート材第二領域Ｘ２の対峙面同士にシール強度が比較的弱くなるようにパートコート剤が塗布された状態で、シート材第二領域Ｘ２がヒートシールされてもよく、ヒートシールの温度を調節してシール強度が比較的弱くなるようにヒートシールされてもよい。
【００２６】
第三連結部１ｆは、図５に示すように、第一連結部１ｄの他端部から離間した二か所でシート材Ｘの一方の面を内側にしてシート材第三領域Ｘ３が折り返された状態でシート材第三領域Ｘ３の対峙面同士が連結されてなるものである。第三連結部１ｆにおける対峙面同士は、全域に亘って連結されてもよく、部分的に連結されてもよい。また、第三連結部１ｆの対峙面同士は、分離可能に連結されてもよく、分離できないように連結されてもよい。また、第三連結部１ｆは、両端部にシート材第三領域Ｘ３が折り返されて形成された折返端部１ｈ，１ｈを備える。本実施形態では、二つの折返端部１ｈ，１ｈの間（具体的には、中央部）に第一連結部１ｄの他端部が位置するように構成される。シート材第三領域Ｘ３の対峙面同士を分離可能に連結する方法としては、特に限定されるものではなく、例えば、シート材第三領域Ｘ３の対峙面同士にシール強度が比較的弱くなるようにパートコート剤が塗布された状態で、シート材第三領域Ｘ３がヒートシールされてもよく、ヒートシールの温度を調節してシール強度が比較的弱くなるようにヒートシールされてもよい。
【００２７】
また、図２に戻り、第一連結部１ｄの一端部（換言すれば、第二連結部１ｅの一端部）には、シート材Ｘの対峙面同士が連結されないことで、摘み部１ｉが形成される。つまり、摘み部１ｉは、二つのシート材第一領域Ｘ１，Ｘ１の各一端部（換言すれば、シート材第二領域Ｘ２の両端部）によって形成される。摘み部１ｉは、第一連結部１ｄの一端部（換言すれば、第二連結部１ｅの一端部）の少なくとも一部に形成される。また、摘み部１ｉは、外縁形状が円弧状に形成される。
【００２８】
上記のように構成される包装袋１を開封する際には、摘み部１ｉを構成する二つのシート材第一領域Ｘ１，Ｘ１の各一端部（換言すれば、シート材第二領域Ｘ２の両端部）を指などで摘んで引き離すように引っ張る。これにより、第一連結部１ｄを構成する二つのシート材第一領域Ｘ１，Ｘ１が一端部側から（摘み部１ｉ側から）他端部へ向かって分離される（剥離される）と共に、第二連結部１ｅを構成するシート材第二領域Ｘ２の重なり合う部分が摘み部１ｉ側から第二連結部１ｅの折返端部１ｇへ向かって分離される（剥離される）。これにより、図６に示すように、収容部１ａに開口部が形成されて包装袋１が開封される。
【００２９】
以上のように、本発明に係る包装袋によれば、包装袋を切断して開封する際に、収容された物品が損傷するのを抑制することができる。
【００３０】
即ち、シート材Ｘの重なり合う部分同士が分離可能に連結された第一連結部１ｄ及び第二連結部１ｅを備える。また、第二連結部１ｅは、一端部に第一連結部１ｄの一端部を備えており、第一連結部１ｄの一端部には、二つのシート材第一領域Ｘ１，Ｘ１の一端部の少なくとも一部同士が連結されないことで形成された摘み部１ｉを備える。
【００３１】
これにより、シート材Ｘにおける摘み部１ｉ（即ち、第一連結部１ｄの一端部及び第二連結部１ｅの一端部）を構成する重なり合う端部のそれぞれを指などで摘まむことができる。そして、摘まんだ各端部を離間させるように引っ張ることで、第一連結部１ｄを構成する二つのシート材第一領域Ｘ１，Ｘ１が分離すると共に、第二連結部１ｅを構成するシート材第二領域Ｘ２の重なり合う部分同士が分離する。これにより、収容部１ａが開放された状態になるため、収容部１ａ内から物品を取り出すことができる。つまり、収容部１ａを切断することなく包装袋１を開封することができるため、収容部１ａの切断に伴って物品が損傷するのを防止することができる。
【００３２】
また、摘み部１ｉは、外縁形状が円弧状、又は、台形状に形成される。このため、摘み部１ｉが他の物体と接触した際に、摘み部１ｉが折れ曲がってしまうのを抑制することができる。
【００３３】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記の実施形態に係る構成や方法等に採用してもよいことは勿論である。
【００３４】
例えば、上記実施形態では、四角形状のシート材Ｘを用いて包装袋１が形成されているが、四面体状の収容部１ａと、第一連結部１ｄと、第二連結部１ｅとを形成できるものであれば、特に限定されるものではない。つまり、二つのシート材第一領域Ｘ１，Ｘ１と、シート材第二領域Ｘ２とを想定できるシート材であれば、例えば、四角形状以外の多角形状であってもよく、円形状や楕円形状であってもよい。
【００３５】
また、上記実施形態では、二つのシート材第一領域Ｘ１，Ｘ１、シート材第二領域Ｘ２、及び、シート材第三領域Ｘ３は、シート材Ｘの端縁を含むものであるが、これに限定されるものではなく、例えば、二つのシート材第一領域Ｘ１，Ｘ１、シート材第二領域Ｘ２、及び、シート材第三領域Ｘ３の少なくとも一つがシート材Ｘの端縁から離れた位置に想定されるように構成されてもよい。
【００３６】
また、上記実施形態では、第一連結部１ｄ、第二連結部１ｅ、及び、第三連結部１ｆでは、シート材Ｘの対峙する面が全域（摘み部１ｉを除く領域の全体）に亘って連結されている（シールされている）が、これに限定されるものではなく、例えば、第一連結部１ｄ、第二連結部１ｅ、及び、第三連結部１ｆの少なくとも一つにおけるシート材Ｘの対峙する面が部分的に連結されるように構成されてもよい。
【００３７】
また、上記実施形態では、摘み部１ｉの外縁形状が円弧状に形成されているが、これに限定されるものではなく、例えば、台形状や三角形状等に形成されてもよく、先端に向かって先細りとなる形状（先端が尖った形状）であってもよい。
【符号の説明】
【００３８】
１…包装袋、１ａ…収容部、１ｂ…第一辺部、１ｃ…第二辺部、１ｄ…第一連結部、１ｅ…第二連結部、１ｆ…第三連結部、１ｇ，１ｈ…折返端部、１ｉ…摘み部、Ｘ…シート材、Ｘ１…シート材第一領域、Ｘ２…シート材第二領域、Ｘ３…シート材第三領域
【図１】
2020050377.tif 000003
【図２】
2020050377.tif 000004
【図３】
2020050377.tif 000005
【図４】
2020050377.tif 000006
【図５】
2020050377.tif 000007
【図６】
2020050377.tif 000008